(57)【要約】  様々な実施態様に係るフードリフティングアセンブリは、再ラッチする特徴を含んでいる。この特徴により、プレートの１つに規定された鍵穴状のスロットの鍵穴状の開口内にピンのヘッドを移動させることにより、２つのスライド可能に結合したプレートが、互いに対してリセットされるか、ロックされることを可能にする。最初の位置では、ピンのヘッドは、鍵穴状の開口から離間しており、ピンが鍵穴状のスロットに沿って、最初の位置から展開された位置に移動し、次いでリセット位置に移動することを可能にする。他の実施態様では、フードリフティングアセンブリは、エネルギ吸収特徴部を含んでいる。１つの例示的エネルギ吸収特徴部には、幅が狭められた部分を有する細長いスロットを規定するプレートが含まれている。この幅が狭められた部分を通して、最初の位置から展開された位置への移動の間、ピンが移動する。
2019529228.tif 000002
【特許請求の範囲】
【請求項１】
第１の表面及び、前記第１の表面とは反対側であるとともに離間した第２の表面を有する第１のプレートであって、前記第１のプレートが少なくとも１つの鍵穴状のスロットを規定し、前記鍵穴状のスロットが、鍵穴状の開口及び、前記鍵穴状の開口から軸に沿って延びる細長いスロットを備え、前記細長いスロットが、前記鍵穴状の開口に隣接する近位端、及び、前記軸に沿って前記鍵穴状の開口から離間した遠位端を有する、前記第１のプレートと、
第２のプレートであって、第１の表面及び、前記第２のプレートの前記第１の表面とは反対側であるとともに離間した第２の表面を有する、前記第２のプレートと、
前記第２のプレートの前記第１の表面及び前記第２の表面に垂直な軸に沿って前記第２のプレートを通って延びる少なくとも１つのピンであって、前記ピンが、ヘッド、停止面、及び、前記ヘッドと前記停止面との間に延びる本体を備え、前記ピンの前記ヘッドが、前記鍵穴状の開口の直径より小であり、かつ、前記細長いスロットの幅より大である直径を有する、前記少なくとも１つのピンと、
前記停止面と前記第２のプレートの前記第２の表面との間に配置されたバネであって、前記バネが、前記ヘッドを前記第２のプレートの前記第１の表面に向けて付勢する、前記バネと、を備え、
前記ピンが、前記第２のプレートの前記第１の表面が前記第１のプレートの前記第２の表面に面するとともに、前記第１のプレートの前記第２の表面に対してスライド可能に移動可能であり、また、前記第１のプレートが、前記ヘッドと前記第２のプレートとの間に配置されるように、前記第１のプレートと前記第２のプレートとをスライド可能に結合しており、
前記第２のプレートが、前記第１のプレートに対し、最初の位置から展開された位置に、及び、前記展開された位置からリセット位置に、スライド可能であり、前記ピンの前記ヘッドが、前記鍵穴状の開口から離間しており、前記ピンの前記本体が、前記最初の位置において前記細長いスロットの近位端に隣接して前記鍵穴状のスロットを通して配置されており、前記ピンの前記本体が、前記展開された位置において前記細長いスロットの前記遠位端に隣接しており、前記ピンの前記ヘッドが、前記リセット位置の前記鍵穴状の開口内に配置されている、フードリフティングアセンブリ。
【請求項２】
前記ピンの前記軸が、前記最初の位置において前記鍵穴状の開口の中心から離間しており、それにより、前記ヘッドが前記バネにより、前記細長いスロットの少なくとも一部に隣接して前記第１のプレートの前記第１の表面に対して付勢され、また、前記リセット位置において、前記ピンの前記軸が、前記鍵穴状の開口の前記中心と整列され、それにより、前記ヘッドが前記バネによって前記鍵穴状の開口内に付勢される、請求項１に記載のフードリフティングアセンブリ。
【請求項３】
破損可能な環状スペーサをさらに備え、前記最初の位置において、前記環状スペーサが、前記ピンの前記本体周り、かつ、前記鍵穴状の開口内の前記ヘッドと前記第２のプレートの前記第１の表面との間に配置されており、前記環状スペーサが、前記最初の位置において前記鍵穴状の開口から前記ヘッドを離間させるように、前記第１のプレートの前記第１の表面と前記第２の表面との間で測定して、前記第１のプレートの厚さ以上の厚さを有しており、前記環状スペーサが、前記ピンが前記最初の位置から前記展開された位置に移動する際に破損する、請求項１に記載のフードリフティングアセンブリ。
【請求項４】
前記破損可能な、環状スペーサが、弱化部分を規定する、請求項３に記載のフードリフティングアセンブリ。
【請求項５】
破損可能な部分的に円形スペーサをさらに備え、前記最初の位置において、前記環状スペーサが、前記ピンの前記本体の一部の周り、かつ、前記鍵穴状の開口内の前記ヘッドと前記第２のプレートの前記第１の表面との間に配置されており、前記部分的に円形スペーサが、前記最初の位置において前記鍵穴状の開口から前記ヘッドを離間させるように、前記第１のプレートの前記第１の表面と前記第２の表面との間で測定して、前記第１のプレートの厚さ以上の厚さを有しており、前記部分的に円形スペーサが、前記ピンが前記最初の位置から前記展開された位置に移動する際に前記鍵穴状の開口から外に移動する、請求項１に記載のフードリフティングアセンブリ。
【請求項６】
Ｕ形状の開口を規定するスペーサをさらに備え、前記最初の位置において、前記Ｕ形状の開口が、前記鍵穴状の開口及び前記細長いスロットと整列しており、前記ピンの前記本体が、前記Ｕ形状の開口を通して延びており、前記スペーサが、少なくとも部分的に、前記ピンの前記ヘッドと前記第１のプレートの前記第１の表面との間に配置されている、請求項１に記載のフードリフティングアセンブリ。
【請求項７】
前記スペーサが、前記最初の位置において前記バネの付勢力により、前記ヘッドと、前記第１のプレートの前記第１の表面との間に保持されている、請求項６に記載のフードリフティングアセンブリ。
【請求項８】
前記スペーサが、第１の表面と、前記スペーサの前記第１の表面とは反対側であるとともに離間した第２の表面と、前記Ｕ形状の開口内に規定されたシートと、第１のＵ形状の内壁と、第２のＵ形状の内壁とを備え、
前記シートの少なくとも一部分が、前記第１の表面と前記第２の表面との間にあるとともに、前記第１の表面及び前記第２の表面から離間した平面内に置かれており、
前記第１のＵ形状の内壁が、前記シートと前記第１の表面との間に延びており、
前記第２のＵ形状の内壁が、前記シートと前記第２の表面との間に延びており、
前記第２のＵ形状の内壁の対向する面間の幅が、前記第１のＵ形状の内壁の対向する面間の幅、及び、前記ピンの前記ヘッドの直径より小であり、
前記第１のＵ形状の壁の対向する面間の前記幅が、前記ヘッドの前記直径より大であり、
前記スペーサの前記第２の表面が、前記第１のプレートの前記第１の表面に隣接して配置され、
前記ヘッドが、前記最初の位置にある前記シートの少なくとも一部分と係合している、請求項６に記載のフードリフティングアセンブリ。
【請求項９】
前記スペーサが、前記スペーサの前記第２の表面から、前記スペーサの前記第１の表面から離れる方向に延びるタブをさらに備え、前記タブが、前記最初の位置において、前記第１のプレートの下側表面と係合している、請求項８に記載のフードリフティングアセンブリ。
【請求項１０】
前記スペーサが、前記Ｕ形状の開口を規定する、弾性的に変形可能なアームを備え、前記スペーサが、前記第１のプレートに結合しており、前記弾性的に変形可能なアームが、前記ヘッドが前記鍵穴状の開口と係合することを可能にするように、前記展開された位置から前記リセット位置への移動の間、前記ヘッドにより、前記鍵穴状の開口から離れるように付勢されている、請求項６に記載のフードリフティングアセンブリ。
【請求項１１】
前記スペーサが、前記スペーサと、前記第１のプレートの前記第１の表面との間に延びるタブを介して、前記第１のプレートと結合しており、前記タブが、前記第１のプレートの前記第１の表面から離れるように、前記ヘッドの厚さより大の距離だけ延びており、それにより、前記ヘッドが、前記スペーサと前記第１のプレートとの間を、前記展開された位置から前記リセット位置にスライド可能であるようになっており、前記ヘッドが前記リセット位置において前記鍵穴状の開口内に配置されることを可能にする、請求項６に記載のフードリフティングアセンブリ。
【請求項１２】
前記タブと前記スペーサとが、前記第１のプレートと一体に形成されている、請求項１１に記載のフードリフティングアセンブリ。
【請求項１３】
２つの弾性的に変形可能なアームであって、各アームが、前記第１のプレートの前記第１の表面に結合された第１の端部と、第２の端部とを有し、前記第２の端部が、互いに離間するとともに、前記鍵穴状の開口の、対向する側部に隣接して配置されている、前記２つの弾性的に変形可能なアームをさらに備え、前記最初の位置において、前記ピンの前記本体が、前記アームの前記第２の端部間を前記鍵穴状のスロットを通って延び、前記アームの前記第２の端部が、前記ヘッドと前記第１のプレートとの間に配置され、前記リセット位置において、前記弾性的に変形可能なアームの前記第２の端部が、前記ヘッドにより、前記鍵穴状の開口から離れるように付勢され、前記ヘッドが前記鍵穴状の開口と係合することを可能にする、請求項１に記載のフードリフティングアセンブリ。
【請求項１４】
前記細長いスロットが、少なくとも１つの幅が狭められた部分を備え、前記幅が狭められた部分が、前記ピンをよりゆっくりと、前記幅が狭められた部分を通して移動させる、請求項１に記載のフードリフティングアセンブリ。
【請求項１５】
前記幅が狭められた部分が、前記最初の位置において第１の幅を有し、前記幅が狭められた部分に隣接する前記細長いスロットが、前記第１の幅より大である第２の幅を有し、前記ピンが、前記第２の幅より小であるが、前記第１の幅より大である直径を有し、前記幅が狭められた部分を通る前記ピンの移動により、前記幅が狭められた部分の少なくとも１つの壁が外側に拡張する、請求項１４に記載のフードリフティングアセンブリ。
【請求項１６】
前記第１のプレートが、前記幅が狭められた部分に隣接する少なくとも１つの拡張開口を規定し、前記第１のプレートの拡張部分が、前記拡張開口と、前記細長いスロットの前記幅が狭められた部分との間に規定され、前記拡張部分が、前記ピンの前記幅が狭められた部分を通る移動に応じて、前記ピンにより、前記拡張開口に向かって付勢される、請求項１５に記載のフードリフティングアセンブリ。
【請求項１７】
前記細長いスロットが第１の細長いスロットであり、前記ピンが第１のピンであり、前記フードリフティングアセンブリが、
前記第１のプレートの第１の側部から、０度より大である角度で延びる第１のサイドプレートと、
前記第２のプレートの第１の側部から、０度より大である角度で延びる第２のサイドプレートと、
ある直径を有する第２のピンと、をさらに備え、
前記第１のサイドプレートまたは前記第２のサイドプレートとの一方が、前記第１の細長いスロットの前記軸に平行な軸を有する第２の細長いスロットを規定し、前記第２のピンが、前記第２のサイドプレートまたは前記第１のサイドプレートの他方、及び、前記第２の細長いスロットを通って延び、
前記第２の細長いスロットが、幅が狭められた部分を規定し、前記幅が狭められた部分が、前記最初の位置において第１の幅を有し、前記幅が狭められた部分に隣接する前記第２の細長いスロットが、前記第１の幅より大である第２の幅を有し、
前記第２のピンの前記直径が、前記第２の幅より小であるが、前記第１の幅より大であり、前記幅が狭められた部分を通る前記第２のピンの移動により、前記幅が狭められた部分の少なくとも１つの壁が外側に拡張する、請求項１に記載のフードリフティングアセンブリ。
【請求項１８】
前記第２の細長いスロットを規定する前記サイドプレートが、前記第２の細長いスロットの前記幅が狭められた部分に隣接する少なくとも１つの拡張開口を規定し、前記サイドプレートの拡張部分が、前記拡張開口と、前記第２の細長いスロットの前記幅が狭められた部分との間に規定され、前記拡張部分が、前記第２のピンの前記幅が狭められた部分を通る移動に応じて、前記第２のピンにより、前記拡張開口に向かって付勢される、請求項１７に記載のフードリフティングアセンブリ。
【請求項１９】
前記細長いスロットが第１の細長いスロットであり、前記フードリフティングアセンブリが、
前記第１のプレートの第１の側部から、０度より大である角度で延びる第１のサイドプレートと、
前記第２のプレートの第１の側部から、０度より大である角度で延びる第２のサイドプレートと、
せん断ピンと、をさらに備え、
前記第１のサイドプレートまたは前記第２のサイドプレートとの一方が、前記第１の細長いスロットの前記軸に平行な軸を有する第２の細長いスロットを規定し、前記せん断ピンが、前記第２のサイドプレートまたは前記第１のサイドプレートの他方、及び、前記第２の細長いスロットを通って延び、
前記せん断ピンが、前記最初の位置において前記第２の細長いスロットの遠位端に隣接して配置され、前記第２のプレートの、前記最初の位置から前記展開された位置への移動の間、前記第２の細長いスロットの近位端に隣接して配置され、
前記せん断ピンが、前記第２の細長いスロットの前記近位端に達した後に破損し、前記第２のプレートが前記展開された位置への移動を続けることを可能にする、請求項１に記載のフードリフティングアセンブリ。
【請求項２０】
係合プレートが前記第２のプレートに結合されており、前記係合プレートが、前記第２のプレートに対して０度より大の角度の平面に置かれており、前記係合プレートが、線形アクチュエータに隣接して配置されている、請求項１に記載のフードリフティングアセンブリ。
【請求項２１】
車両のフードラッチが、前記第２のプレートに結合しており、前記第１のプレートが、車両フレームにしっかりと結合されている、請求項２０に記載のフードリフティングアセンブリ。
【請求項２２】
前記線形アクチュエータが、シリンダ内をスライド可能に移動可能であるピストンアセンブリを備え、前記ピストンアセンブリが、前記第１のプレートから離れるように前記係合プレートを押して、前記第２のプレートを前記最初の位置から前記展開された位置に移動させる、請求項２０に記載のフードリフティングアセンブリ。
【請求項２３】
前記線形アクチュエータが、ガスジェネレータと流体連通しており、前記ガスジェネレータが、前記シリンダに加圧ガスを提供して、前記ピストンアセンブリを前記シリンダ内で移動させる、請求項２２に記載のフードリフティングアセンブリ。
【請求項２４】
第１の表面及び、前記第１の表面とは反対側であるとともに離間した第２の表面を有する第１のプレートであって、前記第１のプレートが、少なくとも１つの細長いスロットを規定し、前記細長いスロットが、近位端、前記近位端から離間した遠位端、及び、前記近位端と前記遠位端との間に延びる軸を有し、前記細長いスロットが、幅が狭められた部分を規定し、前記幅が狭められた部分が、最初の位置において第１の幅を有し、前記幅が狭められた部分に隣接する前記細長いスロットが、前記第１の幅より大である第２の幅を有する、前記第１のプレートと、
第２のプレートであって、第１の表面及び、前記第２のプレートの前記第１の表面とは反対側であるとともに離間した第２の表面を有する、前記第２のプレートと、
前記第２のプレートの前記第１の表面及び前記第２の表面に垂直な軸に沿って前記第２のプレートを通って延びる少なくとも１つのピンであって、前記ピンが、第１の端部、第２の端部、及び、前記第１の端部と前記第２の端部との間に延びる本体を備え、前記ピンの前記第１の端部及び前記第２の端部が、前記第２の幅より大である直径を有し、前記ピンの前記本体が、前記第２の幅より小であるとともに、前記第１の幅より大である直径を有する、前記少なくとも１つのピンと、を備え、
前記ピンが、前記第２のプレートの前記第１の表面が前記第１のプレートの前記第２の表面に面するとともに、前記第１のプレートの前記第２の表面に対してスライド可能に移動可能であるように、前記第１のプレートと前記第２のプレートとをスライド可能に結合しており、
前記第１のプレートまたは前記第２のプレートの、互いに対する移動により、前記ピンを、前記幅が狭められた部分を通して移動させ、前記幅が狭められた部分の少なくとも１つの壁を外側に拡張させる、フードリフティングアセンブリ。
【請求項２５】
前記第１のプレートが、前記細長いスロットの前記幅が狭められた部分に隣接する少なくとも１つの拡張開口をさらに規定し、前記第１のプレートの拡張部分が、前記拡張開口と、前記細長いスロットの前記幅が狭められた部分との間に規定され、前記拡張部分が、前記ピンの前記幅が狭められた部分を通る移動に応じて、前記ピンにより、前記拡張開口に向かって付勢される、請求項２４に記載のフードリフティングアセンブリ。
【請求項２６】
第１のプレートであって、第１の表面及び、前記第１のプレートの前記第１の表面とは反対側であるとともに離間した第２の表面を有する、前記第１のプレートと、
第２のプレートであって、第１の表面及び、前記第２のプレートの前記第１の表面とは反対側であるとともに離間した第２の表面を有し、前記第２のプレートが、少なくとも１つの細長いスロットを規定し、前記細長いスロットが、近位端、前記近位端から離間した遠位端、及び、前記近位端と前記遠位端との間に延びる軸を有する、前記第２のプレートと、
前記第１のプレートの前記第１の表面及び前記第２の表面に垂直な軸に沿って前記第１のプレートを通って延びる少なくとも１つのせん断ピンであって、前記せん断ピンが、第１の端部、第２の端部、及び、前記第１の端部と前記第２の端部との間に延びる本体を備え、前記せん断ピンの前記第１の端部及び前記第２の端部が、前記細長いスロットの幅より大である直径を有し、前記せん断ピンの前記本体が、前記細長いスロットの前記幅より小である直径を有する、前記せん断ピンと、を備え、
前記せん断ピンが、前記第２のプレートの前記第１の表面が前記第１のプレートの前記第２の表面に面するとともに、前記第１のプレートの前記第２の表面に対してスライド可能に移動可能であるように、前記第１のプレートと前記第２のプレートとをスライド可能に結合しており、
前記第１のプレートに対する前記第２のプレートの移動により、前記せん断ピンを、前記細長いスロットの前記近位端または前記遠位端に係合させるとともに破損させる、フードリフティングアセンブリ。
【発明の詳細な説明】
【発明の詳細な説明】
【０００１】
関連出願の相互参照
本出願は、２０１６年９月２２日に出願された、「Ｈｏｏｄ  Ｌｉｆｔｉｎｇ  Ａｓｓｅｍｂｌｙ」と題する米国仮出願第６２／３９８，２７５号の利益を主張する。この仮出願の開示は、参照することにより、その全体が本明細書に組み込まれる。
【背景技術】
【０００２】
車両にぶつかった歩行者の傷害を低減するために、車両には、フードの前方を車両のフレームから離すように持ち上げる、フロントフードリフティングアセンブリを含むものがある。フードリフティングアセンブリは、通常、２つのスライド可能なプレートと、プレートの一方を、他方のプレートに対して上方に押し上げるフードリフティングアクチュエータとを含んでいる。可動プレートは、フードラッチアセンブリの一部に結合され、フードリフティングアクチュエータの動きをフードラッチアセンブリに伝達し、フードの前方を上方に移動させる。しかし、車両のさらなる動作のために、下げられた位置でプレートをリセットして、車両が運転されているか、修理またはサービスのために牽引されている際に、フードが開いていないことを確実にする必要がある場合がある。現在のリセット機構は複雑である。たとえば、米国特許出願公開第２０１３／００８７４０１号には、リセット機構が記載されている。
【０００３】
さらに、いくつかの車両の製造業者は、可動プレートがフードリフティングアクチュエータによって上方に移動する速度を制御することを望んでいる。通常は、このことは、減速するか、フードリフティングアクチュエータのエネルギのいくらかを吸収するように、フードリフティングデバイス上に余分な金属部品をリベット留めすることによって行われる。金属部品は、動作が急に停止した際の衝撃を低減するように、移動の終了時に変形する。また、金属部品は、デバイスが吸収する必要があるエネルギ量に応じて、鋼またはアルミニウムとすることができる。しかし、これら部品は、フードリフティングアセンブリのコスト及び製造時間を増大させる。
【０００４】
したがって、向上したフードリフティングアセンブリが必要とされている。
【発明の概要】
【０００５】
様々な実施態様には、第１のプレート、第２のプレート、少なくとも１つのピン、及びバネを備えたフードリフティングアセンブリが含まれる。第１のプレートは、第１の表面及び、この第１の表面とは反対側であるとともに離間している第２の表面を有している。第１のプレートは、少なくとも１つの鍵穴状のスロットを規定し、鍵穴状のスロットが、鍵穴状の開口及び、鍵穴状の開口から軸に沿って延びる細長いスロットを備えている。細長いスロットは、鍵穴状の開口に隣接する近位端、及び、軸に沿って鍵穴状の開口から離間した遠位端を有している。第２のプレートは、第１の表面及び、第２のプレートの第１の表面とは反対側であるとともに離間した第２の表面を有している。少なくとも１つのピンが、第２のプレートの第１の表面及び第２の表面に垂直な軸に沿って第２のプレートを通って延びている。ピンは、ヘッド、停止面、及び、ヘッドと停止面との間に延びる本体を備えている。ピンのヘッドは、鍵穴状の開口の直径より小であり、かつ、細長いスロットの幅より大である直径を有している。バネは、停止面と第２のプレートの第２の表面との間に配置され、ヘッドを第２のプレートの第１の表面に向けて付勢している。ピンは、第２のプレートの第１の表面が第１のプレートの第２の表面に面するとともに、第１のプレートの第２の表面に対してスライド可能に移動可能であり、また、第１のプレートが、ヘッドと第２のプレートとの間に配置されるように、第１のプレートと第２のプレートとをスライド可能に結合している。第２のプレートは、第１のプレートに対し、最初の位置から展開された位置に、及び、展開された位置からリセット位置に、スライド可能であり、ピンのヘッドが、鍵穴状の開口から離間しており、ピンの本体が、最初の位置において細長いスロットの近位端に隣接して鍵穴状のスロットを通して配置されており、ピンの本体が、展開された位置において細長いスロットの遠位端に隣接しており、ピンのヘッドが、リセット位置の鍵穴状の開口内に配置されている。
【０００６】
いくつかの実施態様では、ピンの軸が、最初の位置において鍵穴状の開口の中心から離間しており、それにより、ヘッドがバネにより、細長いスロットの少なくとも一部に隣接して第１のプレートの第１の表面に対して付勢されている。また、リセット位置において、ピンの軸が、鍵穴状の開口の中心と整列され、それにより、ヘッドがバネによって鍵穴状の開口内に付勢されている。
【０００７】
いくつかの実施態様では、フードリフティングアセンブリは、破損可能な環状スペーサをさらに備え、最初の位置において、環状スペーサが、ピンの本体周り、かつ、鍵穴状の開口内のヘッドと第２のプレートの第１の表面との間に配置されている。環状スペーサは、最初の位置において鍵穴状の開口からヘッドを離間させるように、第１のプレートの第１の表面と第２の表面との間で測定して、第１のプレートの厚さ以上の厚さを有しており、環状スペーサが、ピンが最初の位置から展開された位置に移動する際に破損する。いくつかの実施態様では、破損可能な、環状スペーサは、弱化部分を規定している。
【０００８】
他の実施態様では、フードリフティングアセンブリは、破損可能な部分的に円形スペーサをさらに備え、最初の位置において、部分的に円形スペーサが、ピンの本体の一部の周り、かつ、鍵穴状の開口内のヘッドと第２のプレートの第１の表面との間に配置されている。部分的に円形スペーサは、最初の位置において鍵穴状の開口からヘッドを離間させるように、第１のプレートの第１の表面と第２の表面との間で測定して、第１のプレートの厚さ以上の厚さを有しており、部分的に円形スペーサが、ピンが最初の位置から展開された位置に移動する際に鍵穴状の開口から外に移動する。
【０００９】
他の実施態様では、フードリフティングアセンブリは、Ｕ形状の開口を規定するスペーサをさらに備え、最初の位置において、Ｕ形状の開口が、鍵穴状の開口及び細長いスロットと整列しており、ピンの本体が、Ｕ形状の開口を通して延びており、スペーサが、少なくとも部分的に、ピンのヘッドと第１のプレートの第１の表面との間に配置されている。いくつかの実施態様では、Ｕ形状のスペーサが、最初の位置においてバネの付勢力により、ヘッドと、第１のプレートの第１の表面との間に保持されている。
【００１０】
いくつかの実施態様では、スペーサは、第１の表面と、スペーサの第１の表面とは反対側であるとともに離間した第２の表面と、Ｕ形状の開口内に規定されたシートと、第１のＵ形状の内壁と、第２のＵ形状の内壁とを備え、シートの少なくとも一部分が、第１の表面と第２の表面との間にあるとともに、第１の表面及び第２の表面から離間した平面内に置かれており、第１のＵ形状の内壁が、シートと第１の表面との間に延びており、第２のＵ形状の内壁が、シートと第２の表面との間に延びており、第２のＵ形状の内壁の対向する面間の幅が、第１のＵ形状の内壁の対向する面間の幅、及び、ピンのヘッドの直径より小であり、第１のＵ形状の壁の対向する面間の幅が、ヘッドの直径より大であり、スペーサの第２の表面が、第１のプレートの第１の表面に隣接して配置され、ヘッドが、最初の位置においてシートの少なくとも一部分と係合している。いくつかの実施態様では、スペーサは、スペーサの第２の表面から、スペーサの第１の表面から離れる方向に延びるタブをさらに備えている。タブは、最初の位置において、第１のプレートの下側表面と係合している。
【００１１】
いくつかの実施態様では、スペーサは、Ｕ形状の開口を規定する、弾性的に変形可能なアームを備え、スペーサが、第１のプレートに結合している。弾性的に変形可能なアームは、ヘッドが鍵穴状の開口と係合することを可能にするように、展開された位置からリセット位置への移動の間、ヘッドにより、鍵穴状の開口から離れるように付勢されている。
【００１２】
いくつかの実施態様では、スペーサは、スペーサと、第１のプレートの第１の表面との間に延びるタブを介して、第１のプレートと結合している。タブは、第１のプレートの第１の表面から離れるように、ヘッドの厚さより大の距離だけ延びており、それにより、ヘッドが、スペーサと第１のプレートとの間を、展開された位置からリセット位置にスライド可能であるようになっており、ヘッドがリセット位置において鍵穴状の開口内に配置されることを可能にする。いくつかの実施態様では、タブとスペーサとが、第１のプレートと一体に形成されている。
【００１３】
いくつかの実施態様では、フードリフティングアセンブリは、２つの弾性的に変形可能なアームをさらに備えている。各アームは、第１のプレートの第１の表面に結合された第１の端部と、第２の端部とを有している。第２の端部は、互いに離間するとともに、鍵穴状の開口の、対向する側部に隣接して配置されており、最初の位置において、ピンの本体が、アームの第２の端部間を鍵穴状のスロットを通って延び、アームの第２の端部が、ヘッドと第１のプレートとの間に配置され、リセット位置において、弾性的に変形可能なアームの第２の端部が、ヘッドにより、鍵穴状の開口から離れるように付勢され、ヘッドが鍵穴状の開口と係合することを可能にする。
【００１４】
いくつかの実施態様では、細長いスロットは、少なくとも１つの幅が狭められた部分を備え、この幅が狭められた部分が、ピンをよりゆっくりと、幅が狭められた部分を通して移動させる。いくつかの実施態様では、幅が狭められた部分は、最初の位置において第１の幅を有し、幅が狭められた部分に隣接する細長いスロットが、第１の幅より大である第２の幅を有し、ピンが、第２の幅より小であるが、第１の幅より大である直径を有し、幅が狭められた部分を通るピンの移動により、幅が狭められた部分の少なくとも１つの壁が外側に拡張する。いくつかの実施態様では、第１のプレートが、幅が狭められた部分に隣接する少なくとも１つの拡張開口を規定し、第１のプレートの拡張部分が、拡張開口と、細長いスロットの幅が狭められた部分との間に規定され、拡張部分が、ピンの幅が狭められた部分を通る移動に応じて、ピンにより、拡張開口に向かって付勢されている。
【００１５】
いくつかの実施態様では、細長いスロットが第１の細長いスロットであり、ピンが第１のピンである、フードリフティングアセンブリが、第１のサイドプレート、第２のサイドプレート、及び第２のピンをさらに備えている。第１のサイドプレートは、第１のプレートの第１の側部から、０度より大である角度で延びている。第２のサイドプレートは、第２のプレートの第１の側部から、０度より大である角度で延びている。また、第２のピンは、ある直径を有している。第１のサイドプレートまたは第２のサイドプレートの一方が、第１の細長いスロットの軸に平行な軸を有する第２の細長いスロットを規定し、第２のピンが、第２のサイドプレートまたは第１のサイドプレートの他方、及び、第２の細長いスロットを通って延びている。第２の細長いスロットは、幅が狭められた部分を規定している。幅が狭められた部分は、最初の位置において第１の幅を有し、幅が狭められた部分に隣接する第２の細長いスロットが、第１の幅より大である第２の幅を有している。第２のピンの直径は、第２の幅より小であるが、第１の幅より大であり、幅が狭められた部分を通る第２のピンの移動により、幅が狭められた部分の少なくとも１つの壁が外側に拡張する。いくつかの実施態様では、第２の細長いスロットを規定するサイドプレートが、第２の細長いスロットの幅が狭められた部分に隣接する少なくとも１つの拡張開口を規定し、サイドプレートの拡張部分が、拡張開口と、第２の細長いスロットの幅が狭められた部分との間に規定されている。拡張部分は、第２のピンの幅が狭められた部分を通る移動に応じて、第２のピンにより、拡張開口に向かって付勢されている。
【００１６】
いくつかの実施態様では、細長いスロットが第１の細長いスロットであり、フードリフティングアセンブリが、第１のサイドプレート、第２のサイドプレート、及びせん断ピンをさらに備えている。第１のサイドプレートは、第１のプレートの第１の側部から、０度より大である角度で延びている。第２のサイドプレートは、第２のプレートの第１の側部から、０度より大である角度で延びている。また、第１のサイドプレートまたは第２のサイドプレートの一方が、第１の細長いスロットの軸に平行な軸を有する第２の細長いスロットを規定している。せん断ピンは、第２のサイドプレートまたは第１のサイドプレートの他方、及び、第２の細長いスロットを通って延びている。せん断ピンは、最初の位置において第２の細長いスロットの遠位端に隣接して配置され、第２のプレートの、最初の位置から展開された位置への移動の間、第２の細長いスロットの近位端に隣接して配置されている。せん断ピンは、第２の細長いスロットの近位端に達した後に破損し、第２のプレートが展開された位置への移動を続けることを可能にする。
【００１７】
いくつかの実施態様では、係合プレートは、第２のプレートに結合している。係合プレートは、第２のプレートに対して０度より大の角度の平面に置かれている。係合プレートは、線形アクチュエータに隣接して配置されている。いくつかの実施態様では、車両のフードラッチが、第２のプレートに結合しており、第１のプレートが、車両フレームにしっかりと結合されている。いくつかの実施態様では、線形アクチュエータは、シリンダ内をスライド可能に移動可能であるピストンアセンブリを備えている。ピストンアセンブリは、第１のプレートから離れるように係合プレートを押して、第２のプレートを最初の位置から展開された位置に移動させる。いくつかの実施態様では、線形アクチュエータは、ガスジェネレータと流体連通しており、ガスジェネレータは、シリンダに加圧ガスを提供して、ピストンアセンブリをシリンダ内で移動させる。
【００１８】
様々な実施態様では、フードリフティングアセンブリは、第１のプレート、第２のプレート、及びピンを備えている。第１のプレートは、第１の表面及び、この第１の表面とは反対側であるとともに離間している第２の表面を有している。第１のプレートは、少なくとも１つの細長いスロットを規定している。細長いスロットは、近位端、近位端から離間した遠位端、及び、近位端と遠位端との間に延びる軸を有し、細長いスロットは、幅が狭められた部分を規定している。幅が狭められた部分は、最初の位置において第１の幅を有し、幅が狭められた部分に隣接する細長いスロットが、第１の幅より大である第２の幅を有する。第２のプレートは、第１の表面及び、第２のプレートの第１の表面とは反対側であるとともに離間した第２の表面を有している。少なくとも１つのピンが、第２のプレートの第１の表面及び第２の表面に垂直な軸に沿って第２のプレートを通って延びている。ピンは、第１の端部、第２の端部、及び、第１の端部と第２の端部との間に延びる本体を備え、ピンの第１の端部及び第２の端部が、第２の幅より大である直径を有し、ピンの本体が、第２の幅より小であるとともに、第１の幅より大である直径を有している。ピンは、第２のプレートの第１の表面が第１のプレートの第２の表面に面するとともに、第１のプレートの第２の表面に対してスライド可能に移動可能であるように、第１のプレートと第２のプレートとをスライド可能に結合している。第１のプレートまたは第２のプレートの、互いに対する移動により、ピンを、幅が狭められた部分を通して移動させ、幅が狭められた部分の少なくとも１つの壁を外側に拡張させる。
【００１９】
いくつかの実施態様では、第１のプレートが、細長いスロットの幅が狭められた部分に隣接する少なくとも１つの拡張開口をさらに規定し、第１のプレートの拡張部分が、拡張開口と、細長いスロットの幅が狭められた部分との間に規定され、拡張部分が、ピンの幅が狭められた部分を通る移動に応じて、ピンにより、拡張開口に向かって付勢されている。
【００２０】
様々な実施態様では、フードリフティングアセンブリは、第１のプレート、第２のプレート、及びせん断ピンを備えている。第１のプレートは、第１の表面及び、この第１のプレートの第１の表面とは反対側であるとともに離間している第２の表面を有している。第２のプレートは、第１の表面及び、第２のプレートの第１の表面とは反対側であるとともに離間した第２の表面を有している。第２のプレートは、少なくとも１つの細長いスロットを規定し、細長いスロットは、近位端、近位端から離間した遠位端、及び、近位端と遠位端との間に延びる軸を有している。少なくとも１つのせん断ピンは、第１のプレートの第１の表面及び第２の表面に垂直な軸に沿って第１のプレートを通って延びている。せん断ピンは、第１の端部、第２の端部、及び、第１の端部と第２の端部との間に延びる本体とを備えている。せん断ピンの第１の端部及び第２の端部は、細長いスロットの幅より大である直径を有し、せん断ピンの本体は、細長いスロットの幅より小である直径を有している。せん断ピンは、第２のプレートの第１の表面が第１のプレートの第２の表面に面するとともに、第１のプレートの第２の表面に対してスライド可能に移動可能であるように、第１のプレートと第２のプレートとをスライド可能に結合している。また、第１のプレートに対する第２のプレートの移動により、せん断ピンを、細長いスロットの近位端または遠位端に係合させるとともに破損させる。
【００２１】
アセンブリの様々な実施態様が、以下の例示的図面において、さらにより詳細に説明されている。図面は、好ましいデバイスの構造、及び、単独で使用されるか、他の特徴と組み合わせて使用される場合がある特定の特徴を説明するために、単に例示的なものである。本発明は、図示の実施態様に制限されないものとする。
【図面の簡単な説明】
【００２２】
【図１Ａ】一実施態様に係るフードリフティングアセンブリの一部を示す図であり、第１のプレートから見た、最初の位置にあるアセンブリの一部の斜視図である。
【図１Ｂ】一実施態様に係るフードリフティングアセンブリの一部を示す図であり、第２のプレートから見た、最初の位置にあるアセンブリの一部の斜視図である。
【図１Ｃ】一実施態様に係るフードリフティングアセンブリの一部を示す図であり、展開された位置にあるアセンブリの一部の斜視図である。
【図１Ｄ】一実施態様に係るフードリフティングアセンブリの一部を示す図であり、リセット位置にあるアセンブリの一部の斜視図である。
【図２Ａ】別の実施態様に係る、フードリフティングアセンブリの一部を示す図であり、第１のプレートから見た、最初の位置にあるアセンブリの一部の斜視図である。
【図２Ｂ】別の実施態様に係る、フードリフティングアセンブリの一部を示す図であり、図２Ａに示すアセンブリの一部のピン、プレート、及びスペーサの、一部を切除して示した図である。
【図２Ｃ】別の実施態様に係る、フードリフティングアセンブリの一部を示す図であり、展開された位置にある図２Ａのアセンブリの一部の斜視図である。
【図２Ｄ】別の実施態様に係る、フードリフティングアセンブリの一部を示す図であり、リセット位置にある図２Ａのアセンブリの一部の斜視図である。
【図３Ａ】別の実施態様に係る、フードリフティングアセンブリの一部を示す図であり、第１のプレートから見た、最初の位置にあるアセンブリの一部の斜視図である。
【図３Ｂ】別の実施態様に係る、フードリフティングアセンブリの一部を示す図であり、展開された位置にある図３Ａのアセンブリの一部の斜視図である。
【図３Ｃ】別の実施態様に係る、フードリフティングアセンブリの一部を示す図であり、リセット位置にある図３Ａのアセンブリの一部の斜視図である。
【図３Ｄ】別の実施態様に係る、フードリフティングアセンブリの一部を示す図であり、図３Ａ及び図３Ｂに示すスペーサの斜視図である。
【図４Ａ】別の実施態様に係る、フードリフティングアセンブリの一部を示す図であり、第１のプレートから見た、最初の位置にあるアセンブリの一部の斜視図である。
【図４Ｂ】別の実施態様に係る、フードリフティングアセンブリの一部を示す図であり、展開された位置にある図４Ａのアセンブリの一部の斜視図である。
【図４Ｃ】別の実施態様に係る、フードリフティングアセンブリの一部を示す図であり、ピンをリセットしている際の図４Ａのアセンブリの一部の斜視図である。
【図４Ｄ】別の実施態様に係る、フードリフティングアセンブリの一部を示す図であり、リセット位置にある図４Ａのアセンブリの一部の斜視図である。
【図５Ａ】別の実施態様に係る、フードリフティングアセンブリの一部を示す図であり、第１のプレートから見た、最初の位置にあるアセンブリの一部の斜視図である。
【図５Ｂ】別の実施態様に係る、フードリフティングアセンブリの一部を示す図であり、展開された位置にある図５Ａのアセンブリの一部の斜視図である。
【図５Ｃ】別の実施態様に係る、フードリフティングアセンブリの一部を示す図であり、リセット位置にある図５Ａのアセンブリの一部の斜視図である。
【図６Ａ】別の実施態様に係る、フードリフティングアセンブリを示す図であり、第１のプレートの第１の表面から見た、フードリフティングアセンブリの斜視図である。
【図６Ｂ】別の実施態様に係る、フードリフティングアセンブリを示す図であり、図６Ａに示す第１のプレートの第２の表面の斜視図である。
【図６Ｃ】別の実施態様に係る、フードリフティングアセンブリを示す図であり、図６Ａに示す第２のプレートの第２の表面の斜視図である。
【図７Ａ】別の実施態様に係る、フードリフティングアセンブリを示す図であり、第１のプレートの第１の表面から見た、フードリフティングアセンブリの斜視図である。
【図７Ｂ】別の実施態様に係る、フードリフティングアセンブリを示す図であり、図７Ａに示す第１のプレートの第１の表面の斜視図である。
【図８Ａ】別の実施態様に係る、フードリフティングアセンブリを示す図であり、第１のプレートの第１の表面から見た、フードリフティングアセンブリの斜視図である。
【図８Ｂ】別の実施態様に係る、フードリフティングアセンブリを示す図であり、図８Ａに示す第２のプレートの第１の表面の斜視図である。
【図９】一実施態様に係る線形アクチュエータの断面図である。
【図１０】一実施態様に係る部分的に円形のスペーサを示す図である。
【発明を実施するための形態】
【００２３】
様々な実施態様に係るフードリフティングアセンブリは、少なくとも１つのピンによってともにスライド可能に結合された２つのプレートを含んでいる。一方のプレートは、鍵穴状のスロットを規定し、ピンが、他方のプレートを通るとともに、鍵穴状のスロットを通って延びて、各プレートをスライド可能にともに結合する。プレートの最初の位置では、ピンのヘッドが、鍵穴状のスロットの鍵穴状の開口から離間し、各プレートが互いに対して移動することを可能にしている。しかし、リセット位置では、ピンのヘッドは、鍵穴状の開口と係合するか着座し、各プレートが互いに対してスライド移動することを防止している。可動プレートに結合したフードラッチアセンブリは、このため、最初の位置から、フードが車両フレームの上の持ち上げられた位置にある展開された位置に、また、この展開された位置から、フードが下げられた位置にしっかりと保持されているリセット位置に移動可能である。
【００２４】
さらに、フードリフティングアセンブリの様々な実施態様には、展開された位置への作動の速度を低減するために、エネルギ吸収特徴部が含まれている。フードリフティングアセンブリは、少なくとも１つのピンによってともにスライド可能に結合された２つのプレートを含んでいる。一方のプレートは、細長いスロットを規定し、ピンが、他方のプレートを通るとともに、細長いスロットを通って延びて、各プレートをスライド可能にともに結合する。最初の位置では、ピンは、細長いスロットの、幅が狭められた部分の外側に配置されている。ピンの直径は、幅が狭められた部分よりも大である。このため、幅が狭められた部分をピンが通過する際に、ピンが、幅が狭められた部分を押し広げ、これにより、フードリフティングアクチュエータからのエネルギをいくらか吸収する。
【００２５】
他の様々な実施態様では、フードリフティングアセンブリは、スライド可能にともに結合した２つのプレートの一方を通して規定された細長いスロットを含む別のエネルギ低減特徴部を含んでいる。せん断ピンは、他方のプレート及び細長いスロットを通って延びて、各プレートを結合する。細長いスロットを有するプレートが他方のプレートに対して移動すると、せん断ピンにより、細長いスロットの端部がせん断ピンに接触し、せん断ピンが破損するまで、可動プレートが移動することが許容される。これにより、フードリフティングアクチュエータからのエネルギにいくらかが吸収される。
【００２６】
たとえば、図１Ａから図１Ｄは、一実施態様に係るフードリフティングアセンブリの一部を示す図である。上述のように、図１Ａから図１Ｄに示すアセンブリ１０の一部は、第１のプレート１２、第２のプレート１４、ピン１６、及びバネ１８を含んでいる。第１のプレート１２は、第１の表面２０ａ及び、この第１の表面２０ａとは反対側であるとともに離間している第２の表面２０ｂを有している。また、第２のプレート１４は、第１の表面２２ａ及び、この第１の表面２２ａとは反対側であるとともに離間している第２の表面２２ｂを有している。
【００２７】
第１のプレート１２は、少なくとも１つの鍵穴状のスロット２４を規定している。鍵穴状のスロット２４は、鍵穴状の開口２６と、この鍵穴状の開口２６から軸Ａ−Ａに沿って延びる細長いスロット２８とを含んでいる。細長いスロット２８は、鍵穴状の開口２６から軸Ａ−Ａに沿って離間した遠位端３０を有している。鍵穴状の開口２６は、ＤＫの直径を有し、細長いスロットは、幅ＷＳを有している。
【００２８】
ピン１６は、ヘッド３２、停止面３４、及び、ヘッド３２と停止面３４との間に延びる本体３６を含んでいる。第２のプレート１４は、開口（図示せず）を規定し、ピン１６の本体３６は、第２のプレート１４の開口を通って、第２のプレート１４の第１の表面２２ａ及び第２の表面２２ｂに対して垂直な軸Ｂ−Ｂに沿って延びている。第２のプレート１４によって規定される開口は、ピン１６の本体３６の直径より大であるが、ピン１６のヘッド３２の直径ＤＨ、及び、ピン１６の停止面３４の直径より小である直径を有し、これにより、ピン１６の本体３６が開口内を軸方向に移動することを可能にするが、ピン１６が開口から抜き出ることを防止する。
【００２９】
図１Ｂに示すバネ１８は、波形バネであり、第２のプレート１４の第２の表面２２ｂと、ピン１６の停止面３４との間に配置されている。バネ１８は、ピン１６のヘッド３２を第１のプレート１２の第１の表面２０ａに対して付勢する。しかし、他の実施態様では、図２Ｂ、図５Ｂ、及び図５Ｃに示すヘリカルバネなど、他のタイプのバネが使用される場合がある。
【００３０】
ピン１６は、第２のプレート１４の第１の表面２２ａが第１のプレート１２の第２の表面２０ｂに面するとともに、この第１のプレート１２の第２の表面２０ｂに対してスライド可能に移動可能であり、また、第１のプレート１２が、ピン１６のヘッド３２と第２のプレート１４との間に配置されるように、第１のプレート１２と第２のプレート１４とをスライド可能に結合している。第２のプレート１４は、第１のプレート１２に対し、Ａ−Ａ軸の方向に、図１Ａ及び図１Ｂに示す最初の位置から、図１Ｃに示す展開された位置に、スライド可能である。最初の位置では、ピン１６の本体３６が、細長いスロット２８の近位端３１に隣接する鍵穴状のスロット２４を通して配置され、ピン１６のヘッド３２が、鍵穴状のスロット２４の鍵穴状の開口２６から離間している。ヘッド３２を鍵穴状の開口２６から離間させることにより、ピン１６が、細長いスロット２８を通って最初の位置から展開された位置に移動することを可能にしている。展開された位置では、ピン１６の本体３６は、細長いスロット２８の遠位端３０に隣接している。さらに、ピン１６のヘッド３２の直径ＤＨが、細長いスロット２８の幅ＷＳより大であることから、ピン１６のヘッド３２は、細長いスロット２８を通らない。
【００３１】
図１Ａから図１Ｄに示す実施態様では、ピン１６の軸Ｂ−Ｂが、最初の位置において鍵穴状の開口２６の中心からオフセットして、展開する前に、ヘッド３２を鍵穴状の開口２６から離間した状態に維持している。具体的には、ヘッド３２は、細長いスロット２８に、少なくとも一部に隣接して配置され、バネ１８は、ヘッド３２を、第１のプレート１２の第１の表面２０ａに対して付勢している。
【００３２】
展開の後に、フードは、車両を運転するか、牽引するために、下げられるとともに下げられた位置にロックされる必要がある場合がある。下げられた位置かリセット位置にプレートを保持するために、（たとえば、フードを下向きに押すことにより）フードが下向きに付勢され、これにより、第２のプレート１４を第１のプレート１２に対してスライドさせる。ピン１６のヘッド３２の直径ＤＨが、鍵穴状の開口２６の直径ＤＫより小であり、これにより、ヘッド３２が鍵穴状の開口２６と係合して、ピン１６の軸Ｂ−Ｂが、鍵穴状の開口２６の中心と整列している際に、アセンブリ１０をリセットすることを可能にする。
【００３３】
図２Ａから図２Ｄは、アセンブリの一部分１００の別の実施態様を示している。図２Ａから図２Ｄに示すアセンブリの一部分１００は、展開の前に、ヘッド３２が鍵穴状の開口２６からどのように離間しているかを除き、図１Ａから図１Ｄに示す部分１０と類似である。具体的には、図２Ａから図２Ｄでは、アセンブリの一部分１００は、破損可能な環状スペーサ１０２を含んでいる。スペーサ１０２は、ピン１６の本体３６周りに、ヘッド３２と第２のプレート１４の第１の表面２２ａとの間の、最初の位置における鍵穴状の開口２６に配置されている。スペーサ１０２は、第１のプレート１２の第１の表面２０ａと第２の表面２０ｂとの間で測定した第１のプレート１２の厚さＴＰ以上の、軸Ｂ−Ｂの方向に測定した厚さＴＳを有している。ピン１６の軸Ｂ−Ｂは、最初の位置では鍵穴状の開口２６の中心と整列しているが、スペーサ１０２は、ヘッド３２が、バネ１８によって鍵穴状の開口２６内に入れられることを防止している。第２のプレート１４及びピン１６の、展開された位置への移動の間に、図２Ｃに示すように、スペーサ１０２が破損してピン１６から外れる。いくつかの実施態様では、スペーサ１０２は、弱化部分１０４（たとえば、ノッチ）を有しており、この弱化部分に沿ってスペーサ１０２が破損する。スペーサ１０２がピン１６から除去されると、ピン１６のヘッド３２は、展開の後にフードが下に、リセット位置に移動した際に、鍵穴状の開口２６と係合することができる。
【００３４】
スペーサ１０２は、細長いスロット２８の遠位端３０に向かって移動するピン１６の力に応じて破損する、プラスチック、低強度の金属、または他の材料で形成され得る。
【００３５】
他の実施態様では、スペーサは、図１０に示すスペーサ４０８など、部分的に円形である場合がある。図１０に示す実施態様では、部分的に円形のスペーサ４０８が、スペーサ４０８によって規定された周囲の空間４１０が、細長いスロット４２８と整列しない（たとえば、オフセットしているか反対側を向いている）ように、鍵穴状の開口４２６内に配置されている。他の実施態様は、細長いスロット４２８の遠位端３０に向かって移動するピン１６の力に応じて鍵穴状の開口４２６から外れる、２つ以上の部分的に円形の部分を含む場合がある。
【００３６】
図３Ａから図３Ｃは、アセンブリの一部分２００の別の実施態様を示している。図３Ａから図３Ｃに示すアセンブリの一部分２００は、スペーサを除き、図２Ａから図２Ｄに示す部分１００と類似である。具体的には、図３Ａ及び図３Ｂに示すスペーサ２０２は、Ｕ形状の開口２０４を規定している。最初の位置では、Ｕ形状の開口２０４は、鍵穴状の開口２６及び細長いスロット２８と整列しており、ピン１６の本体３６が、Ｕ形状の開口２０４を通って延びている。スペーサ２０２の少なくとも一部分が、最初の位置において、ピン１６のヘッド３２と、第１のプレート１２の第１の表面２０ａとの間に配置されている。図３Ａから図３Ｃに示す実施態様では、スペーサ２０２が、バネ１８の付勢力により、ピン１６のヘッド３２と、第１のプレート１２の第１の表面２０ａとの間に保持されている。ピン１６が細長いスロット２８の遠位端３０に向かって移動すると、図３Ｂに示すように、スペーサ２０２が外れ、これにより、フードが展開後にリセット位置へ下方に移動する際に、ヘッド３２が鍵穴状の開口２６に係合することを可能にする。図３Ｃは、リセット位置にあるピンを示している。
【００３７】
図３Ａ及び図３Ｂ、ならびに図３Ｄに示すスペーサ２０２は、第１の表面２０６ａ、この第１の表面２０６ａとは反対側であるとともに離間した第２の表面２０６ｂ、及び、Ｕ形状の開口２０４内に規定されたシート２５０を含んでいる。シート２５０の少なくとも一部分は、第１の表面２０６ａと第２の表面２０６ｂとの間にあるとともに、第１の表面２０６ａ及び第２の表面２０６ｂから離間した平面内に置かれる。スペーサ２０２は、第１のＵ形状の内壁２０８及び第２のＵ形状の内壁２５２をも含んでいる。第１のＵ形状の内壁２０８及び第２のＵ形状の内壁２５２は、スペーサ２０２のＵ形状の開口２０４を規定している。第１のＵ形状の壁２０８は、第１の表面２０６ａとシート２５０との間に延び、第２のＵ形状の壁２５２は、第２の表面２０６ｂとシート２５０との間に延びている。第２のＵ形状の内壁２５２の対向する面間の幅は、第１のＵ形状の内壁２０８の対向する面間の幅、及び、ヘッド３２の直径より小であり、第１のＵ形状の壁２０８の対向する面間の幅は、ヘッド３２の直径より大であり、これにより、ヘッドがシート２５０と係合し、最初の位置において、第１のＵ形状の内壁２０８の対向する面間に座することを可能にする。フードリフティングアセンブリが設置された車両からの振動に起因して、スペーサ２０２が、ピン１６のヘッド３２と、第１のプレート１２の第１の表面２０ａとの間から不注意に外れることを防止するために、スペーサ２０２は、シート２５０の端部と、Ｕ形状のスペーサ２０２の端部との間に、傾斜路２５１をさらに含んでいる。傾斜路２５１は、第１の表面２０６ａ及びシート２５０に対して０度より大の角度で配置されるように、第１の表面２０６ａに向かって延びている。動作時には、ピン１６を最初の位置から展開された位置に展開するための作動力が、（傾斜路２５１と、第１のプレート１２の第１の表面２０ａとの間で測定して）傾斜路２５１によって提供されるさらなる厚さを超えるのに十分であるが、通常の車両の動作の間に予期される振動の力は、ヘッド３２を、傾斜路２５１を超えて移動するのには不十分である。
【００３８】
スペーサ２０２の第２の表面２０６ｂは、最初の位置において、第１のプレート１２の第１の表面２０ａに隣接して配置されている。スペーサ２０２は、スペーサ２０２の第２の表面２０６ｂから、スペーサ２０２の第１の表面２０６ａから離れる方向に延びるタブ２１０をさらに含んでいる。タブ２１０は、最初の位置において、第１のプレート１２の下側表面２１２と係合している。タブ２１０は、スペーサ２０２がピン１６とともに、遠位端３０に向かって移動することを防止している。図２Ｄに示すシート２５０がＵ形状であるが、他の実施態様では、シートは、ヘッド３２の周囲に離間した部分を支持するように、互いから離間した２つの別々の表面として提供される場合がある。また、上述のスペーサ２０２は傾斜路２５１を含んでいるが、他の実施態様は、傾斜路を含んでいない場合がある。
【００３９】
図４Ａから図４Ｄは、アセンブリの一部分３００の別の実施態様を示している。図４Ａから図４Ｄに示すアセンブリの一部分３００は、スペーサを除き、図３Ａから図３Ｃに示す部分２００と類似である。具体的には、部分３００は、Ｕ形状の開口３０６を規定する、弾性的に変形可能なアーム３０４ａ、３０４ｂを含むスペーサ３０２を含んでいる。スペーサ３０２は、第１のプレート１２の第１の表面２０ａに結合（たとえば、しっかりと結合）されており、アーム３０４ａ、３０４ｂは、鍵穴状の開口２６の少なくとも一部分に隣接して配置されている。アーム３０４ａ、３０４ｂは、最初の位置において、ピン１６のヘッド３２と、第１のプレート１２の第１の表面２０ａとの間に配置されている。展開された位置では、バネ１８は、ピンのヘッド３２を第１のプレート１２の第１の表面２０ａに対して付勢する。また、フードが展開された位置からリセット位置に下げられると、第１のプレート１２の第１の表面２０ａに隣接するヘッド３２が、図４Ｃに示すように、アーム３０４ａ、３０４ｂを、鍵穴状の開口２６の外周から径方向外側に付勢し、図４Ｄに示すように、ヘッド３２が鍵穴状の開口２６内に、バネ１８によって付勢されることを可能にする。
【００４０】
図５Ａから図５Ｃは、アセンブリの一部分４００の別の実施態様を示している。図５Ａから図５Ｃに示すアセンブリの一部分４００は、スペーサを除き、図３Ａから図４Ｄに示す部分２００、３００と類似である。具体的には、部分４００は、第１のプレート１２にタブ４０４を介して結合したスペーサ４０２を含んでいる。タブ４０４は、スペーサ４０２と第１のプレート１２との間に延びている。タブ４０４は、第１のプレート１２の第１の表面２０ａから、ピン１６のヘッド３２の厚さＴＨより大である距離ＴＴだけ離れるように延びており、これにより、ピン１６のヘッド３２が、展開された位置からリセット位置への移動の間、スペーサ４０２と第１のプレート１２との間にスライドすることを可能にし、また、ヘッド３２がリセット位置にある鍵穴状の開口２６に係合することを可能にする。図５Ａから図５Ｃに示す実施態様では、タブ４０４及びスペーサ４０２は、第１のプレート１２と一体に形成されている。しかし、他の実施態様（図示せず）では、スペーサ４０２及びタブ４０４は、第１のプレート１２とは別に形成され、締結具を使用して第１のプレート１２に結合される場合がある。
【００４１】
図６Ａから図６Ｃは、図１Ａから図５Ｃに関して上述した実施態様に類似である一実施態様に係るフードリフティングアセンブリ５００を示している。しかし、アセンブリ５００は、エネルギ吸収特徴部をさらに含んでいる。アセンブリ５００では、第１のプレート５１２に規定された細長いスロット５２８は、幅が狭められた部分５０２を規定している。幅が狭められた部分５０２は、鍵穴状の開口５２６から、軸Ａ’−Ａ’に沿って軸方向に離間している。幅が狭められた部分５０２は、この幅が狭められた部分５０２に隣接する細長いスロット５２８の幅ＷＳより小である幅ＷＮを有している。ピン５１６の本体の直径は、細長いスロット５２８の幅ＷＳより小であるが、幅が狭められた部分５０２の幅ＷＮより大である。
【００４２】
第１のプレート５１２は、細長いスロット５２８の各側部に隣接する第１の拡張開口５０４と第２の拡張開口５０６とをも規定する。第１のプレート５１２の第１の拡張部分５０８は、第１の拡張開口５０４とスロット５２８との間に配置され、第１のプレート５１２の第２の拡張部分５１０は、第２の拡張開口５０６とスロット５２８との間に配置されている。ピン５１６が、鍵穴状の開口５２６の隣から細長いスロット５２８の遠位端５３０に向かって、展開された位置に移動すると、ピン５１６の本体が、幅が狭められた部分５０２を付勢して、外側に拡張し、拡張部分５０８と拡張部分５１０とを、第１の拡張開口５０４と第２の拡張開口５０６とのそれぞれに向かって付勢する。開口５０４、５０６は、図６Ａ及び図６Ｂでは、細長いものとして示されているが、開口５０４、５０６は、拡張部分５０８、５１０が、スロット５２８を通してのピンの移動に応じて移動することを可能にする任意の適切な形状である場合がある。このため、幅が狭められた部分５０２及び拡張部分５０８、５１０は、スロット５２８を通るピン５１６の移動に抗し、変形される。これにより、ピン５１６が細長いスロット５２８を通って遠位端５３０に向かう際のピン５１６のエネルギのいくらかを吸収し、第２のプレート５１４が第１のプレート５１２に対して移動する速度を低減する。第２のプレート５１４が第１のプレート５１２に対して移動する速度を低減することにより、所望の移動時間が達成され得、及び／または、移動のパルスのショックが、車両の製造業者によって設定された、距離を移動する能力を依然として保持しつつ、制限され得る。また、エネルギ低減特徴部によって吸収されるエネルギの量は、幅が狭められた部分の軸方向の長さもしくは幅、幅が狭められた部分の数、及び／または第１のプレートの厚さを変化させることによって調整され得る。いくつかの実施態様（図示せず）では、第１の拡張開口及び第２の拡張開口が、第１のプレートには規定されない場合があるが、幅が狭められた部分は、ピンが細長いスロットを通して移動する際に通路から外れて湾曲する。また、図７Ａ及び図７Ｂに関して以下に記載するようないくつかの実施態様では、細長いスロットに隣接する１つの拡張開口がある場合がある。他の実施態様では、細長いスロットに隣接して２つ以上の開口がある場合がある。
【００４３】
図６Ａから図６Ｃに示すアセンブリ５００は、第２のプレート５１４の頂縁部５４０から延びる係合プレート５５０をも示している。係合プレート５５０は、第２のプレート５１４に対して０度より大の角度の平面に置かれている。本アセンブリは、係合プレート５５０の下に置かれた線形アクチュエータ５５５をも含んでいる。図９は、線形アクチュエータ５５５の実施態様の断面図を示している。線形アクチュエータ５５５は、ピストンロッド及びピストンを含むピストンアセンブリ５５６を含み、シリンダ５５８内にスライド可能に取り付けられている。ピストンとピストンロッドとは、一体に形成されるか、別々に形成されてともに結合される場合がある。線形アクチュエータ５５５は、ガスジェネレータ５６０（たとえば、発生器またはマイクロガスジェネレータ（ＭＧＧ））と流体連通しており、ガスジェネレータ５６０は、加圧ガスをシリンダ５５８に提供して、ピストンアセンブリ５５６をシリンダ５５８内で上方に移動する。線形アクチュエータ５５５が作動すると、ピストンアセンブリ５５６の遠位端５６２が係合プレート５５０に係合し、係合プレート５５０及び第２のプレート５１４を上方に、展開された位置内に押し上げる。細長いスロット５２８は、第１のプレート５１２と第２のプレート５１４とを結合するピン５１６を、この移動を通してガイドする。
【００４４】
フードラッチアセンブリ５７０は、第２のプレート５１４の第２の表面５２２ｂに結合されており、第１のプレート５１２は、車両フレームに、直接的または間接的に、しっかりと結合されている。たとえば、図６Ａから図６Ｃに示す実施態様では、締結具５７２ａから５７２ｃは、第２のプレート５１４及びフードラッチアセンブリ５７０の一部を通るか、そこから延びて、フードラッチアセンブリ５７０を第２のプレート５１４の第２の表面５２２ｂに対して結合する。さらに、第１のプレートは、第１のプレート５１２を車両フレームに結合するためのフランジ５８０ａから５８０ｃを含んでいる。第２のプレート５１４の移動は、フードラッチアセンブリ５７０に伝達される。このため、フードラッチアセンブリ５７０は、フードを上下に移動するために係合解除する必要がない。図６Ａから図６Ｃが、フードラッチアセンブリ５７０を第２のプレート５１４に結合するための３つの締結具を示しているが、１つまたは複数の締結具が、他の実施態様で使用される場合がある。さらに、３つのフランジ５８０ａから５８０ｃが、第１のプレート５１２を車両フレームに結合するために、図６Ａから図６Ｃに示されているが、１つまたは複数のフランジまたは他の結合表面が、他の実施態様では使用され得る。
【００４５】
図７Ａ及び図７Ｂは、アセンブリ５００に類似であるが、エネルギ吸収特徴部が別様に実施されているアセンブリ６００を示している。具体的には、アセンブリ６００は、第１のプレート６１２の側縁部６４８ａと６４８ｂとの各々からそれぞれ延びる、第１のサイドプレート６５０ａと第２のサイドプレート６５０ｂとを含んでいる。また、第１のサイドプレート６５２ａと第２のサイドプレート６５２ｂとは、第２のプレート６１４の側縁部６４６ａと６４６ｂとの各々からそれぞれ延びている。このサイドプレート６５０ａ、６５０ｂ、６５２ａ、６５２ｂは、第１のプレート６１２及び第２のプレート６１４から、０度より大である角度で延びている。
【００４６】
第１のプレート６１２から延びる第１のサイドプレート６５０ａと第２のサイドプレート６５０ｂとは、鍵穴状のスロット６２４を通って延びる軸Ａ’’−Ａ’’に平行な軸に沿って延びる、細長いスロット６７０ａと６７０ｂとをそれぞれ規定する。細長いスロット６７０ａと６７０ｂとの各々は、幅が狭められた部分６７２ａと６７２ｂとをそれぞれ含んでおり、この幅が狭められた部分６７２ａと６７２ｂとは、幅が狭められた部分６７２ａ、６７２ｂに隣接するスロット６７０ａ、６７０ｂの幅より小である幅を有している。幅が狭められた部分６７２ａ、６７２ｂの各々の少なくとも一方側に隣接して、サイドプレート６５０ａと６５０ｂとは、拡張開口６７４ａと６７４ｂとをそれぞれ規定している。また、サイドプレート６５０ａと６５０ｂとは、それぞれのスロット６７０ａと６７０ｂと、それぞれの拡張開口６７４ａと６７４ｂとの間に配置された、拡張部分６７８ａと６７８ｂとを含んでいる。ピン６６０ａは、第２のプレート６１４に結合された第１のサイドプレート６５２ａと、第１のプレート６１２に結合された第１のサイドプレート６５０ａに規定された細長いスロット６７０ａとを通って延びている。また、ピン６６０ｂは、第２のプレート６１４に結合された第２のサイドプレート６５２ｂと、第１のプレート６１２に結合された第２のサイドプレート６５０ｂに規定された細長いスロット６７０ｂとを通って延びている。このため、幅が狭められた部分６７２ａ、６７２ｂと、拡張部分６７８ａ、６７８ｂとは、ピン６６０ａと６６０ｂとが、スロット６７０ａと６７０ｂとをそれぞれ通る動きに抗し、ピン６６０ａ、６６０ｂがスロット６７０ａ、６７０ｂを通って展開された位置へと移動する際のピン６６０ａ、６６０ｂのエネルギのいくらかを吸収し、第２のプレート６１４が第１のプレート６１２に対して移動する速度を低減する。
【００４７】
図７Ａ及び図７Ｂに示す実施態様では、鍵穴状のスロット６２４は、幅が狭められた部分を規定していない。しかし、他の実施態様では、鍵穴状のスロット６２４は、さらなるエネルギの吸収のために、図７Ａ及び図７Ｂに示した幅が狭められた部分６７２ａ、６７２ｂに加え、図６Ａ及び図６Ｂに関して上述したような、幅が狭められた部分を規定する場合がある。さらに、他の実施態様では、細長いスロットは、第１のプレートから延びるサイドプレートの代わりに、第２のプレートから延びるサイドプレートによって規定される場合がある。
【００４８】
図８Ａ及び図８Ｂは、アセンブリ５００、６００に類似のアセンブリ７００を示しているが、アセンブリ７００は、アセンブリ５００、６００とは異なるエネルギ吸収特徴部を有している。具体的には、アセンブリ７００は、第１のプレート７１２の側縁部７４８ａと７４８ｂとの各々からそれぞれ延びる、第１のサイドプレート７５０ａと第２のサイドプレート７５０ｂとを含んでいる。また、第１のサイドプレート７５２ａと第２のサイドプレート７５２ｂとは、第２のプレート７１４の側縁部７４６ａと７４６ｂとの各々からそれぞれ延びている。このサイドプレート７５０ａ、７５０ｂ、７５２ａ、７５２ｂは、第１のプレート７１２及び第２のプレート７１４から、０度より大である角度で延びている。サイドプレート７５２ａと７５２ｂとの各々は、第１のプレート７１２に規定された鍵穴状のスロット７２４の軸Ａ’’’−Ａ’’’に平行な長手軸を有する、細長いスロット７８０ａと７８０ｂとをそれぞれ規定している。第１のせん断ピン７８２ａは、第１のサイドプレート７５２ａによって規定された細長いスロット７８０ａを通って第１のサイドプレート７５０ａに結合されており、第２のせん断ピン７８２ｂは、第２のサイドプレート７５２ｂによって規定された細長いスロット７８０ｂを通って第２のサイドプレート７５０ｂに結合されている。最初の位置では、せん断ピン７８２ａ、７８２ｂは、スロット７８０ａの隣接する遠位端７８４ａと、スロット７８０ｂの隣接する遠位端７８４ｂとのそれぞれに配置されている。また、サイドプレート７５２ａ、７５２ｂの、展開された位置への移動の間、スロット７８０ａ、７８０ｂの近位端７８６ａ、７８６ｂは、ピン７８２ａ、７８２ｂに向かって移動する。近位端７８６ａ、７８６ｂがピン７８２ａ、７８２ｂに達すると、ピン７８２ａ、７８２ｂが破損し、第２のプレート７１４の移動からのエネルギのいくらかを吸収する。
【００４９】
図８Ａ及び図８Ｂに示す実施態様には、せん断ピンと、各サイドプレート上の対応するスロットとが含まれているが、他の実施態様では、せん断ピン及び対応するスロットは、第１のプレート及び第２のプレートを通して延びる場合があり、及び／または、２つ以上のせん断ピン及び対応するスロットが、フードリフティングアセンブリ毎に存在する場合がある。さらに、他の実施態様では、せん断ピンのためのスロットは、第２のプレートから延びるサイドプレートの代わりに、第１のプレートから延びるサイドプレートによって規定される場合がある。
【００５０】
図６Ａから図８Ｂに関して上述したエネルギ吸収特徴部により、製造時間及びコストが低減される。たとえば、上述のエネルギ吸収特徴部は、すでにフードリフティングアセンブリの一部である場合がある構成要素を変更することによって実施される。これら特徴は、やはり、展開の攻撃性に関わらず、フードラッチアセンブリが、展開の各々に関するストローク全体まで移動することを可能にする。たとえば、第２のプレートは、セ氏−４０度とセ氏１００度とでは、異なる速度でエネルギ吸収特徴部を通って移動するが、第２のプレートは、全体の距離を移動する。従来技術の減衰特徴部は、ストロークの終わりのパルスを減衰し、これにより、第２のプレートが、温度及び展開の強さに応じて、異なる量だけ変位する結果となり得る。
【００５１】
様々な実施態様では、フードリフティングアセンブリの様々な部品（たとえば、プレート、ピン、せん断ピン、スペーサ）の材料及び／または寸法の選択が、少なくとも部分的に、（たとえば、作動、歩行者の衝撃、及び／またはリセットの間に）部品によって受領される、予期される力、ならびに、各部品に予期される操作性に基づく場合がある。プレート、ピン、せん断ピン、及びスペーサに関して考慮され得る例示的材料には、金属（たとえば、アルミニウム、鋼など）、プラスチック（たとえば、ポリマ、セルロース化合物、ポリ乳酸など）、複合材料（たとえば、カーボンファイバ、ガラス充填ナイロンなど）、またはこれらの組合せが含まれ得る。
【００５２】
本明細書に使用される用語は、特定の実施態様を記載することのみのために使用されるものであり、本発明を限定することは意図されていない。本明細書に使用される場合、単数の形態「ａ」、「ａｎ」、及び「ｔｈｅ」は、文脈が別様に明確に示していない限り、複数の形態も含むことが意図されている。「ｃｏｍｐｒｉｓｅｓ（含む）」及び／または「ｃｏｍｐｒｉｓｉｎｇ（含んでいる）」との用語は、本明細書で使用される場合、述べられた特徴、整数、ステップ、操作、要素、及び／または構成要素の存在を特定するが、１つまたは複数の他の特徴、整数、ステップ、操作、要素、構成要素、及び／またはそれらのグループの存在または追加を除外しないことを、さらに理解されたい。
【００５３】
添付の特許請求の範囲における、対応する構造、材料、作用、及び、ミーンズ、または、ステップ・プラス・ファンクション要素すべての均等は、明確に請求されるように、他の請求される要素と組み合わせて作用を実施するための、任意の構造、材料、または作用を含むことが意図されている。本発明の記載は、説明及び記載の目的のために提供されているが、排他的とするか、本発明を開示の形態に限定することは意図していない。多くの変形形態及び変更形態が、本発明の範囲及び趣旨から逸脱することなく、当業者には明らかとなる。実施態様は、本発明の原理及び実用的用途を最適に説明するため、及び、他の当業者が、考えられる特定の使用に適切であるような様々な変形を伴う様々な実施態様に関して本発明を理解することを可能にするために選択及び記載された。
【図１Ａ】
2019529228.tif 000003
【図１Ｂ】
2019529228.tif 000004
【図１Ｃ】
2019529228.tif 000005
【図１Ｄ】
2019529228.tif 000006
【図２Ａ】
2019529228.tif 000007
【図２Ｂ】
2019529228.tif 000008
【図２Ｃ】
2019529228.tif 000009
【図２Ｄ】
2019529228.tif 000010
【図３Ａ】
2019529228.tif 000011
【図３Ｂ】
2019529228.tif 000012
【図３Ｃ】
2019529228.tif 000013
【図３Ｄ】
2019529228.tif 000014
【図４Ａ】
2019529228.tif 000015
【図４Ｂ】
2019529228.tif 000016
【図４Ｃ】
2019529228.tif 000017
【図４Ｄ】
2019529228.tif 000018
【図５Ａ】
2019529228.tif 000019
【図５Ｂ】
2019529228.tif 000020
【図５Ｃ】
2019529228.tif 000021
【図６Ａ】
2019529228.tif 000022
【図６Ｂ】
2019529228.tif 000023
【図６Ｃ】
2019529228.tif 000024
【図７Ａ】
2019529228.tif 000025
【図７Ｂ】
2019529228.tif 000026
【図８Ａ】
2019529228.tif 000027
【図８Ｂ】
2019529228.tif 000028
【図９】
2019529228.tif 000029
【図１０】
2019529228.tif 000030
【国際調査報告】
2019529228.tif 000031
2019529228.tif 000032